(57)【要約】【課題】後方プーリプレートセットのプレート面に、異なる角度を有する斜面を階段状に設け、車両の発進加速及びトップスピードを向上させる自動二輪車の後方プーリプレートセットを提供する。【解決手段】自動二輪車の後方プーリプレートセットは、プーリプレートセットによりベルトを駆動し、ベルトが巻き掛けられた後方プーリプレートセット２を回転させ、自動二輪車を走行させる。後方プーリプレートセット２は、固定プレート２１と、駆動速度に応じて変位する可動プレート２２と、を有する。固定プレート２１及び可動プレート２２の互いに対向した端面は、内側から外側にかけて水平面に対する角度が徐々に大きくなるように形成された第１の傾斜部Ａ１、第２の傾斜部Ａ２及び第３の傾斜部Ａ３を有する。【選択図】図１
0003158316.tif 000002
【実用新案登録請求の範囲】
【請求項１】
前方プーリプレートセットによりベルトを駆動し、前記ベルトが巻き掛けられた後方プーリプレートセットを回転させ、自動二輪車を走行させる自動二輪車の後方プーリプレートセットであって、
前記後方プーリプレートセットは、固定プレートと、駆動速度に応じて変位する可動プレートと、を有し、
前記固定プレート及び前記可動プレートの互いに対向した端面は、内側から外側にかけて水平面に対する角度が徐々に大きくなるように形成された第１の傾斜部、第２の傾斜部及び第３の傾斜部を有することを特徴とする自動二輪車の後方プーリプレートセット。
【請求項２】
前記前方プーリプレートセットは、駆動プーリ面と、駆動速度に応じて位置が変位する摺動プレートと、を有し、
前記駆動プーリ面及び前記摺動プレートの互いに対向した端面は、内側から外側にかけて水平面に対する角度が徐々に小さくなるように形成された内側傾斜部、中間傾斜部及び外側傾斜部を有することを特徴とする請求項１に記載の自動二輪車の後方プーリプレートセット。
【考案の詳細な説明】
【技術分野】
【０００１】
本考案は、自動二輪車の後方プーリプレートセットに関し、特に、後方プーリプレートセットのプレート面に、異なる角度を有する斜面を階段状に設け、車両の発進加速及びトップスピードを向上させる自動二輪車の後方プーリプレートセットに関する。
【背景技術】
【０００２】
一般の自動二輪車の伝動原理は、エンジンによりクランクを駆動し、クランクに連動する前方プーリプレートセット（ｆｒｏｎｔ  ｐｕｌｌｅｙ  ｐｌａｔｅ  ｓｅｔ）によりベルトを駆動し、ベルトの他端の後方プーリプレートセットを回転させ、変速機ケースにより変速比を変えて後輪を駆動し、自動二輪車を走行させる。前方プーリプレートセット及び後方プーリプレートセット（ｒｅａｒ  ｐｕｌｌｅｙ  ｐｌａｔｅ  ｓｅｔ）を利用して速度を変化させる原理は、自転車の変速原理と同様に、前方プーリプレートセットが後方プーリプレートセットより大きい場合、速度が速くてトーション力が小さいが、後方プーリプレートセットが前方プーリプレートセットより大きい場合、速度が遅くてトーション力が大きい。
【０００３】
従来、自動二輪車の伝動構造には多くの種類がある。例えば、多段式プーリプレートは、プーリプレートの他方の側に、２つ以上の異なる角度を有する傾斜面が設けられた第１の側面を有する。多段式プーリプレートは、前方プーリプレートセットのプーリプレートであり、上述した自動二輪車の伝動方式により、プーリプレートは、駆動プーリ面（ｄｒｉｖｅ  ｐｕｌｌｅｙ  ｆａｃｅ）に対応してベルトを挟持し、ベルトにより後方プーリプレートセットを駆動することができるように、プーリプレートの第１の側面に２つ以上の異なる角度を有する斜面によりベルトを挟持するため、摩擦が発生してベルトが損壊する虞があった。このように、従来の構造は、駆動プーリ面が設けられた前方プーリプレートセットのプーリプレートを有するだけで、前後の組み合わせ効果が理想的でなかった。
【０００４】
従来のプーリプレートは、プレート体を含む。このプレート体の中心部には、伝動軸を貫設する貫通孔が軸方向に穿設されている。プレート体は、ベルトを巻き掛ける内側面を有し、外縁に弧状面が形成されている。この弧状面により、プーリプレートとベルトとの接触面積が提供され、摩擦力を高めることができる。これにより、トーション力が大きくなり、空転することを防ぎ、回転効率及びトーション力の出力を向上させることができる。しかし、トーション力が大きい場合、速度が遅くなるため、自動二輪車の発進加速及びトップスピードを向上させることができなかった。
【考案の概要】
【考案が解決しようとする課題】
【０００５】
本考案の目的は、後方プーリプレートセットのプレート面に、異なる角度を有する斜面を階段状に設け、車両の発進加速及びトップスピードを向上させる自動二輪車の後方プーリプレートセットを提供することにある。
【課題を解決するための手段】
【０００６】
上記課題を解決するために、本考案の第１の形態によれば、前方プーリプレートセットによりベルトを駆動し、前記ベルトが巻き掛けられた後方プーリプレートセットを回転させ、自動二輪車を走行させる自動二輪車の後方プーリプレートセットであって、前記後方プーリプレートセットは、固定プレートと、駆動速度に応じて変位する可動プレートと、を有し、前記固定プレート及び前記可動プレートの互いに対向した端面は、内側から外側にかけて水平面に対する角度が徐々に大きくなるように形成された第１の傾斜部、第２の傾斜部及び第３の傾斜部を有することを特徴とする自動二輪車の後方プーリプレートセットが提供される。
【０００７】
また、前記前方プーリプレートセットは、駆動プーリ面と、駆動速度に応じて位置が変位する摺動プレートと、を有し、前記駆動プーリ面及び前記摺動プレートの互いに対向した端面は、内側から外側にかけて水平面に対する角度が徐々に小さくなるように形成された内側傾斜部、中間傾斜部及び外側傾斜部を有することが好ましい。
【考案の効果】
【０００８】
本考案の自動二輪車の後方プーリプレートセットは、後方プーリプレートセットのプレート面に、異なる角度を有する斜面を階段状に設け、車両の発進加速及びトップスピードを向上させることができる。
【図面の簡単な説明】
【０００９】
【図１】本考案の一実施形態による後方プーリプレートセットを示す分解斜視図である。
【図２】本考案の一実施形態による後方プーリプレートセットを示す断面図である。
【図３】本考案の一実施形態による前方プーリプレートセットを示す分解斜視図である。
【図４】発進加速時の前方プーリプレートセット及び後方プーリプレートセットの状態を示す平面図である。
【図５】トップスピード時の前方プーリプレートセット及び後方プーリプレートセットの状態を示す平面図である。
【図６】本考案の一実施形態による後方プーリプレートセットを示す部分拡大図である。
【考案を実施するための形態】
【００１０】
以下、本考案の実施形態について図に基づいて説明する。なお、これによって本考案が限定されるものではない。
【００１１】
図１、図２及び図４を参照する。図１、図２及び図４に示すように、自動二輪車は、エンジンによりクランクを駆動し、クランクにより前方プーリプレートセット１を連動し、前方プーリプレートセット１によりベルト３を駆動する。これにより、ベルト３の他方の端部に配置された後方プーリプレートセット２を回転させ、変速機ケースにより変速比を変えて後輪を駆動し、自動二輪車を走行させる。
【００１２】
後方プーリプレートセット２は、固定プレート２１と、駆動速度に応じて変位する可動プレート２２と、を有する。２つのプレート体は、対応した端面の箇所が、内側から外側にかけて水平面に対する角度が徐々に大きくなっている第１の傾斜部Ａ１、第２の傾斜部Ａ２及び第３の傾斜部Ａ３が形成されている。
【００１３】
図１〜図６を参照する。図１〜図６に示すように、前方プーリプレートセット１と後方プーリプレートセット２との間には、ベルトが巻き掛けられている。後方プーリプレートセット２は、固定プレート２１と可動プレート２２とによりベルト３を挟持する。前方プーリプレートセット１にベルト３が巻き掛けられると、駆動プーリ面１１と摺動プレート１２とによりベルト３を挟持する。駆動プーリ面１１及び摺動プレート１２の２つのプレート体の対応した端面には、水平面に対して内側傾斜部Ｂ１、中間傾斜部Ｂ２及び外側傾斜部Ｂ３が形成されている。内側傾斜部Ｂ１、中間傾斜部Ｂ２及び外側傾斜部Ｂ３は、後方プーリプレートセット２とは反対に内側から外側にかけて角度が徐々に小さくなっている。自動二輪車が発進する際、ベルト３は、後方プーリプレートセット２の固定プレート２１と可動プレート２２との最外側の大きな角度を有する第３の傾斜部Ａ３の箇所に位置する。前方プーリプレートセット１は、大きな角度を有する内側傾斜部Ｂ１の箇所に位置し、加速すると前方プーリプレートセット１内のベルト３が小さな角度を有する外側傾斜部Ｂ３の箇所に移動し、ベルト３のピッチ円直径が後方プーリプレートセット２の軸心近くの箇所（従来技術より軸心近くの箇所）に縮小して移動し、後方プーリプレートセット２の固定プレート２１及び可動プレート２２の最内側の小さな角度を有する第１の傾斜部Ａ１に位置する。このように、角度差を利用してベルト３を迅速に張ったり、固定プレート２１及び可動プレート２２の第１の傾斜部Ａ１、第２の傾斜部Ａ２、第３の傾斜部Ａ３の間を移動したりすることができる。そのため、自動二輪車の発進加速及びトップスピードの性能を向上させることができる。
【００１４】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１５】
１  前方プーリプレートセット
２  後方プーリプレートセット
３  ベルト
１１  駆動プーリ面
１２  摺動プレート
２１  固定プレート
２２  可動プレート
Ａ１  第１の傾斜部
Ａ２  第２の傾斜部
Ａ３  第３の傾斜部
Ｂ１  内側傾斜部
Ｂ２  中間傾斜部
Ｂ３  外側傾斜部
【図１】
0003158316.tif 000003
【図２】
0003158316.tif 000004
【図３】
0003158316.tif 000005
【図４】
0003158316.tif 000006
【図５】
0003158316.tif 000007
【図６】
0003158316.tif 000008